(57)【特許請求の範囲】
【請求項１】
橋脚もしくは橋台上に配置された複数個の箱桁間を予め支持部材により一体に支持しておき、箱桁上面に施工した床版コンクリートが硬化した後に、前記支持部材の上方部材による箱桁間の連結固定状態を解除して、箱桁に回転に対するフレキシビリティが与えられた状態で、前記床版コンクリートの橋軸直角方向にプレストレスを導入する箱桁橋の施工方法。
【請求項２】
箱桁間支持部材の上方部材による箱桁間の連結固定状態を解除する手段として、上方部材を撤去する請求項１の箱桁橋の施工方法。
【請求項３】
箱桁間支持部材の上方部材による箱桁間の連結固定状態を解除する手段として、上方部材の固定ボルトを緩めることで上方部材を遊動可能とする請求項１の箱桁橋の施工方法。
【請求項４】
箱桁間を支持する支持部材が、箱桁間の上部を連結する上弦材と、箱桁間の下部を連結する下弦材と、これらの上下両弦材間を連結するＶ型斜材とからなる対傾構である請求項１又は２の箱桁橋の施工方法。
【請求項５】
箱桁間を支持する支持部材が、箱桁間の上部を連結する上方横桁と、箱桁間の下部を連結する下方横桁とからなる請求項１又は３の箱桁橋の施工方法。
【請求項６】
床版コンクリートの橋軸直角方向にプレストレスを導入した後に、上方部材による箱桁間の連結固定状態が解除された支持部材を利用してコンクリート支持壁を設ける請求項１の箱桁橋の施工方法。
【発明の詳細な説明】
【０００１】
【発明の属する技術分野】
本発明は、箱桁橋の施工方法、詳細には、箱桁上に施工されるコンクリート床版に橋軸直角方向に沿ったプレストレスを導入することのできる箱桁橋の施工方法に関するものである。
【０００２】
【従来の技術】
従来より、鋼板を用いて中空の閉じた箱型断面をもつように構成した箱桁を主桁として使用する箱桁橋は、橋軸方向に配列される複数個の箱桁間を横桁もしくは対傾構により連結することで構成される。
【０００３】
夫々の箱桁間を連結する横桁もしくは対傾構は、夫々の箱桁が橋脚もしくは橋台上に架設されてから上部に床版コンクリートが設けられるまでの間、地震などにより桁が転倒することのないような安全対策として、夫々の箱桁が橋脚もしくは橋台上に配列された時点で直ちに箱桁間にしっかりと連結される。
【０００４】
【発明が解決すべき課題】
このように、箱桁橋では、施工の初期段階で、橋脚もしくは橋台上に配列された箱桁が横桁もしくは対傾構により連結されるため、次の施工工程として設けられる床版コンクリートに橋軸直角方向に沿ったプレストレスを導入しょうとすると、箱桁の横方向剛性と横桁もしくは対傾構の存在により、プレストレスの導入量が大幅に制限されて、効果的なプレストレスを与えられないという問題あり、従来では箱桁橋の床版コンクリートに橋軸直角方向に沿ったプレストレスを導入するという試みは全くなされていない。
【０００５】
【課題を解決するための手段】
本発明は、従来の箱桁橋における上記のような問題点を解消し、箱桁が橋脚もしくは橋台上に配列されてから床版が設けられるまでの工程において、夫々の箱桁が横桁もしくは対傾構により連結されて施工を安全に進められると共に、床版コンクリートに橋軸直角方向に沿ったプレストレスを導入する際には、横桁もしくは対傾構が横方向の拘束力を示さずにプレストレスを効果的に導入でき、かつ施工後も横桁もしくは対傾構の存在により安定を維持できる箱桁橋の施工方法の提供を目的としたものである。
【０００６】
本発明の架設方法は、そのための具体的手段として、橋脚もしくは橋台上に配置された複数個の箱桁間を予め支持部材により一体に支持しておき、箱桁上面に施工した床版コンクリートが硬化した後に、前記支持部材の上方部材による箱桁間の連結固定状態を解除して、箱桁に回転に対するフレキシビリティが与えられた状態で、前記床版コンクリートの橋軸直角方向にプレストレスを導入することを特徴とする。
【０００７】
箱桁支持部材の上方部材による箱桁間の連結固定状態を解除するための手段としては、上方部材を撤去する方法、もしくは上方部材を撤去する代わりに、箱桁間を連結固定している上方部材の固定ボルトを緩めて上方部材を箱桁間に遊動可能な状態とする方法が考えられ、これにより夫々の箱桁に回転に対するフレキシビリティが与えられる。
【０００８】
箱桁間を支持する支持部材としては、箱桁間の上部を連結する上弦材と、箱桁間の下部を連結する下弦材と、これら上下両弦材間を連結するＶ型斜材とからなる対傾構であることが好ましい。
【０００９】
また、箱桁間を支持する支持部材が、箱桁間の上部を連結する上方横桁と、箱桁間の下部を連結する下方横桁であってもよい。
【００１０】
さらに、床版コンクリートの橋軸直角方向にプレストレスを導入した後に、上方部材による箱桁間の連結固定状態が解除された支持部材を利用して箱桁間にコンクリート支持壁を設けるような構成としてもよい。
【００１１】
【発明の実施の形態】
本発明に係る箱桁橋の施工工法を、図面に示す実施例について説明すると、図１は箱桁間を連結する支持部材として対傾構を用いた場合における箱桁架設時の工程を示す橋軸直角方向の断面図であり、橋台１上に複数個の箱桁２，２が支承３を介して配置された後、これらの箱桁２，２の間が支持部材４により連結されて、床版が施工されるまでの間箱桁２が橋台１上に安定よく保持される。
【００１２】
前記支持部材４は、上方部材としての箱桁２，２間の上部を連結する上弦材５と、箱桁２，２間の下部を連結する下弦材６と、上弦材５の両端と下弦材６の中間部とを連結するＶ型斜材７とによる対傾構からなっている。
【００１３】
箱桁２，２間が支持部材４により連結された後、図２に示すように、箱桁２上に型枠（図示せず）を設けて床版コンクリート８を打設する。この床版コンクリート８の打設に際しては、予め該床版のコンクリート８内に橋軸直角方向に沿ったシース９を設けておく。
【００１４】
床版コンクリート８が硬化すると、箱桁２，２間の上部における床版コンクリート部分８ａも前記支持部材４の上弦材５と同様の機能をはたすことになり、箱桁２，２は該床版コンクリート部分８ａと支持部材４とによって転倒に対する横方向の安定性が一層確実に維持される。
【００１５】
このようにして、床版コンクリート８が硬化することで箱桁２の横方向の安定性が維持された後、次の工程として、前記支持部材４の上方部材による箱桁２，２間の連結固定状態を解除する。この箱桁間の連結固定状態を解除するための手段としては、図３に示すように、前記支持部材４における上方部材としての上弦材５を撤去する方法が用いられる。そして、この状態で床版コンクリート８内に配管した前記シース９内のＰＣ鋼線１０を緊張し、床版コンクリート８の橋軸直角方向にプレストレスを導入する。
【００１６】
支持部材４の上方部材による箱桁２，２間の連結固定状態を解除するための別の手段としては、上弦材５の両端と箱桁２，２との連結部を、予め該上弦材５のボルト穴を大きめのものとしてボルト１４により連結固定しておき、箱桁２上に床版コンクリート８を打設して該床版コンクリート８が硬化した後、次の工程として上弦材５の両端のボルト１４を緩めて上弦材５が箱桁２間で遊動できるようにし、これによって箱桁２に回転に対するフレキシビリティを与えて、床版コンクリート８に橋軸直角方向に沿ったプレストレスを導入してもよい。
【００１７】
支持部材４の上弦材５が撤去されるか、もしくはボルト１４を緩めることで上弦材５が箱桁２間で遊動するようにしても、前記のように箱桁２，２間の上部における床版コンクリート部分８ａが支持部材４の上弦材５と同様の機能をはたし、撤去もしくは遊動する上弦材５のもつ箱桁２，２間の連結力が床版コンクリート部分８ａに移し代えられたことになるので、橋台１上における箱桁２の横方向の安定性が阻害されるおそれはない。
【００１８】
また、支持部材４の上弦材５が撤去もしくは遊動可能な状態になると、箱桁２に夫々支承３を介しての回転に対するフレキシビリティが与えられることになるので、床版コンクリート８に橋軸直角方向に沿ったプレストレスが適切に導入される。
【００１９】
その際、箱桁２はプレストレス力に応じて、支承３の水平方向を可動とすることも、固定とすることも選択できる。
【００２０】
本発明の目的とする施工方法は、上記のような工程により、床版コンクリート８に橋軸直角方向へのプレストレスを導入することで基本的に完了するが、前記プレストレスの導入後、橋台１上で箱桁２を支持する支点での前記支持部材４の剛性及び強度が必要な場合には、図４に示すように、床版コンクリート８へのプレストレスを導入した後に、前記箱桁２，２間の連結固定状態を解除した後の支持部材４を骨組みとしてコンクリート支持壁１１を形成することで最終的に完了する。
【００２１】
上記のコンクリート支持壁１１を形成する場合には、箱桁２，２間の連結固定状態を解除した後の支持部材４としては、上弦材５を撤去したままの状態、もしくは遊動可能とした上弦材５が取付けられたままの状態であってもよい。
【００２２】
図５は別の実施例を示すものであり、この場合は箱桁２，２間を支持する支持部材４として、箱桁２，２間の上部を連結する上方横桁１２と、この上方横桁１２とは間隔をおいて配置した箱桁２，２間の下部を連結する下方横桁１３とを使用する。
【００２３】
この場合も、橋台１上に複数個の箱桁２が支承３を介して配置された後、これらの箱桁２，２間が上方横桁１２と下方横桁１３とより連結されて、床版が施工されるまでの間箱桁２を橋台１上に安定よく保持し、箱桁２上に床版コンクリート８を打設して該床版コンクリート８が硬化した後、次の工程として上方横桁１２を撤去するか、もしくは上方横桁１２の両端のボルト１４を緩めることで上方横桁１２を箱桁２，２間で遊動可能とし、箱桁２に回転に対するフレキシビリティが与えられた状態で床版コンクリート８に橋軸直角方向に沿ったプレストレスを導入する。
【００２４】
この実施例の場合も、床版コンクリート８にプレストレスが導入された後に、図示はしないが、上方横桁１２が撤去された後の下方横桁１３だけの状態、もしくは遊動可能な上方横桁１２と下方横桁１３とがある状態を骨組みとして、図４に示したようなコンクリート支持壁１１を形成することが好ましい。
【００２５】
なお、上記図１の実施例及び図５の実施例の場合も、床版コンクリート８に対する橋軸直角方向に沿ったプレストレス導入方法は、橋脚もしくは橋台１上で箱桁２を支持する支点での施工として述べたが、支点以外の部分でも、同様の工程により床版コンクリート８に橋軸直角方向に沿ったプレストレスを導入することは可能である。
【００２６】
【発明の効果】
本発明に係る箱桁橋の施工方法は、上記のように、橋脚もしくは橋台上に配置された複数個の箱桁間を予め支持部材により一体に支持しておき、箱桁上面に施工した床版コンクリートが硬化した後に、前記支持部材の上方部材を撤去するかもしくは固定ボルトを緩めて遊動可能とすることで、上方部材による箱桁間の連結固定状態を解除するが、支持部材の上方部材としての上弦材もしくは上方横桁が撤去されても、箱桁間の上部における床版コンクリート部分が支持部材の上方部材と同様の機能をはたしているので、箱桁の横方向の安定性が阻害されることがなく、しかも箱桁に回転に対するフレキシビリティが与えられることで、床版コンクリートに橋軸直角方向に沿ったプレストレスを効果的に導入することができる。
【００２７】
従って、本発明の箱桁橋施工方法によれば、箱桁を連結する横桁もしくは対傾構の存在によって、従来ではプレストレスの導入が困難であるとされていた箱桁橋床版コンクリートの橋軸直角方向に沿ったプレストレス導入を、床版コンクリートの施工後に、横桁もしくは対傾構の上方部材による箱桁間の連結固定状態を解除するという簡単な操作できわめて効果的に行うことができ、あくまで安全性が確保された条件下で経済的にして有効な架設工法を提供できるという利点を有する。
【図面の簡単な説明】
【図１】本発明に係る架設方法の第１工程としての橋台上に配置した箱桁が支持部材により連結された状態の橋軸直角方向における断面図。
【図２】同じく、次の工程として床版コンクリートが施工された状態の断面図。
【図３】同じく、次の工程として支持部材の上方部材を撤去して、床版コンクリートに橋軸直角方向に沿ったプレストレスを導入した状態の断面図。
【図４】上方部材の撤去された支持部材を利用して箱桁間にコンクリート支持壁を設けた状態の断面図。
【図５】別の実施例における図１と同じ状態の断面図。
【図６】同じく図２と同じ状態の断面図。
【図７】同じく図３と同じ状態の断面図。
【符号の説明】
１：橋台
２：箱桁
３：支承
４：支持部材
５：上弦材
６：下弦材
７：Ｖ型斜材
８：床版コンクリート
９：シース
１０：ＰＣ鋼線
１１：コンクリート支持壁
１２：上方横桁
１３：下方横桁
１４：ボルト
【図１】
0003569134.tif 000002
【図２】
0003569134.tif 000003
【図３】
0003569134.tif 000004
【図４】
0003569134.tif 000005
【図５】
0003569134.tif 000006
【図６】
0003569134.tif 000007
【図７】
0003569134.tif 000008